(57)【要約】【課題】  隙間や高所等を手軽に清掃することができる縦型のサイクロン式電気掃除機を提供すること。【解決手段】  吸込口体４が着脱自在に取り付けられると共に電動送風機１２が内蔵された掃除機本体２の後上部に、集塵容器１４と、この集塵容器１４内に渦流を形成する渦流発生手段１５を取り付け、この渦流発生手段１５の露出した上部における前記掃除機本体２の左右方向略中央となる位置に接続部１６を設け、この接続部１６に可撓ホース２０の一端２０Ａを接続し、前記可撓ホース２０の他端２０Ｂのを前記掃除機本体２に対して着脱自在とすることで、高所や隙間等を清掃する場合、サイクロン式掃除機１全体を動かさなくても、前記可撓ホース２０の一端２０Ａ側を屈曲させることで、前記可撓ホース２０の他端２０Ｂに取り付けられるアタッチメントを前記掃除機本体２の左右両方向に対して均等に伸ばして広い範囲を清掃することができる。【選択図】図４
2006346118.tif 000002
【特許請求の範囲】
【請求項１】
電動送風機と、
掃除機本体と、
この掃除機本体に対して着脱自在に取り付けられた集塵容器と、
この集塵容器内に渦流を発生させる渦流発生手段と、
前記掃除機本体に取り付けられた吸込口体と、
この吸込口体から前記渦流発生手段に至る経路の一部を成す可撓ホースとを有し、この可撓ホースの一端が前記渦流発生手段に接続されると共に、前記可撓ホースの他端が前記掃除機本体又は吸込口体に対して着脱自在であるサイクロン式掃除機において、
前記集塵容器及び渦流発生手段が前記掃除機本体の上部に取り付けられて、前記渦流発生手段の上部の少なくとも一部が露出し、
前記可撓ホースの一端が前記渦流発生手段の上部の露出個所に形成された接続部に接続され、
この接続部が、前記掃除機本体の左右方向略中心となるように、前記渦流発生手段に設けられていると共に、
前記渦流発生手段が、この渦流発生手段の上部の接続部から流入した気流を前記集塵容器の内壁の接線方向に導くように構成されていることを特徴とするサイクロン式掃除機。
【請求項２】
一端が前記接続部に接続されて他端が前記可撓ホースの一端に接続された屈曲した接続管を有すると共に、この接続管が前記接続部に対して回動可能に取り付けられていることを特徴とする請求項１記載のサイクロン式掃除機。
【請求項３】
電動送風機と、
掃除機本体と、
この掃除機本体に対して着脱自在に取り付けられた集塵容器と、
この集塵容器内に渦流を発生させる渦流発生手段と、
前記掃除機本体に取り付けられた吸込口体と、
この吸込口体から前記渦流発生手段に至る経路の一部を成す可撓ホースとを有し、この可撓ホースの一端が前記渦流発生手段に接続されると共に、前記可撓ホースの他端が前記掃除機本体又は吸込口体に対して着脱自在であるサイクロン式掃除機において、
前記渦流発生手段が、前記集塵容器に対して略同軸的に回動自在に取り付けられていることを特徴とするサイクロン式掃除機。
【発明の詳細な説明】
【技術分野】
【０００１】
本発明は、サイクロン式掃除機に関するものであり、特に、スティック型やアップライト型と呼ばれる縦型のサイクロン式掃除機に関するものである。
【背景技術】
【０００２】
従来、この種のサイクロン式掃除機としては、電動送風機が内蔵された掃除機本体と、この掃除機本体に取り付けられた吸込口体と、前記掃除機本体に対して着脱自在に取り付けられる集塵装置（本発明の集塵容器及び渦流発生手段に該当する）を有し、前記吸込口体と集塵容器とをフレキシブルホース（本発明の可撓ホースに該当する）で接続すると共に、前記フレキシブルホースの他端を前記吸込口体側に対して着脱自在とした電気掃除機が知られている（例えば、特許文献１参照。）。そして、これらの電気掃除機は、このような構造とすることで、前記フレキシブルホースの他端を前記吸込口体と接続した状態では、前記吸込口体から塵埃を吸引することができると共に、前記フレキシブルホースの他端を前記吸込口体から取り外してブラシノズルや隙間ノズル等を接続した状態では、このブラシノズルや隙間ノズル等から塵埃を吸引することができる。
【特許文献１】特開２００３−１４４３６２号公報
【発明の開示】
【発明が解決しようとする課題】
【０００３】
このようなサイクロン式掃除機においては、前記集塵容器の内壁の接線方向に沿って気流を流入させる必要があるため、前記集塵容器の軸方向に対して交差するように、前記可撓ホースの一端を前記集塵容器の側面に接続することで渦流発生手段としていた。しかしながら、このように前記可撓ホースの一端が前記集塵容器の側面に接続される構造のサイクロン式掃除機では、前述したように、可撓ホースの他端を前記吸込口体から取り外してブラシノズルや隙間ノズル等を取り付けて使用する場合、前記可撓ホースの一端が接続された側（特許文献１においては右側）を掃除することは容易であるものの、その反対側（特許文献１においては左側）を掃除することが難しいという問題があった。このため、ブラシノズルや隙間ノズル等を使用する場合、頻繁に電気掃除機全体を移動させる必要があり、手軽さを損ねていたという問題があった。
【０００４】
本発明は以上の問題点を解決し、隙間や高所等を手軽に清掃することができる縦型のサイクロン式電気掃除機を提供することを目的とする。
【課題を解決するための手段】
【０００５】
本発明の請求項１に記載のサイクロン式掃除機は、電動送風機と、掃除機本体と、この掃除機本体に対して着脱自在に取り付けられた集塵容器と、この集塵容器内に渦流を発生させる渦流発生手段と、前記掃除機本体に取り付けられた吸込口体と、この吸込口体から前記渦流発生手段に至る経路の一部を成す可撓ホースとを有し、この可撓ホースの一端が前記渦流発生手段に接続されると共に、前記可撓ホースの他端が前記掃除機本体又は吸込口体に対して着脱自在であるサイクロン式掃除機において、前記集塵容器及び渦流発生手段が前記掃除機本体の上部に取り付けられて、前記渦流発生手段の上部の少なくとも一部が露出し、前記可撓ホースの一端が前記渦流発生手段の上部の露出個所に形成された接続部に接続され、この接続部が、前記掃除機本体の左右方向略中心となるように、前記渦流発生手段に設けられていると共に、前記渦流発生手段が、この渦流発生手段の上部の接続部から流入した気流を前記集塵容器の内壁の接線方向に導くように構成されているものである。
【０００６】
また、本発明の請求項２に記載のサイクロン式掃除機は、請求項１において、一端が前記接続部に接続されて他端が前記可撓ホースの一端に接続された屈曲した接続管を有すると共に、この接続管が前記接続部に対して回動可能に取り付けられているものである。
【０００７】
更に、本発明の請求項３に記載のサイクロン式掃除機は、電動送風機と、掃除機本体と、この掃除機本体に対して着脱自在に取り付けられた集塵容器と、この集塵容器内に渦流を発生させる渦流発生手段と、前記掃除機本体に取り付けられた吸込口体と、この吸込口体から前記渦流発生手段に至る経路の一部を成す可撓ホースとを有し、この可撓ホースの一端が前記渦流発生手段に接続されると共に、前記可撓ホースの他端が前記掃除機本体又は吸込口体に対して着脱自在であるサイクロン式掃除機において、前記渦流発生手段が、前記集塵容器に対して略同軸的に回動自在に取り付けられているものである。
【発明の効果】
【０００８】
本発明の請求項１に記載のサイクロン式掃除機は、以上のように構成することにより、床等を清掃する場合、前記可撓ホースの他端を前記吸込口体又は掃除機本体に接続して前記電動送風機を作動させることで、前記吸込口体から吸引された塵埃を含む気流を直接、或いは一旦前記掃除機本体を経由させた後で、前記可撓ホースを通過させて前記接続部から前記渦流発生手段に流入させ、この渦流発生手段によって、前記気流を前記集塵容器の内壁に沿って旋回する渦流とし、この際、渦流の遠心力によって気流中の塵埃を分離して前記集塵容器に溜めることができる。また、隙間や高所等を清掃する場合、前記可撓ホースの他端を前記吸込口体又は掃除機本体から取り外して、前記可撓ホースの他端にアタッチメントを取り付け、前記電動送風機を作動させることで、前記アタッチメントから吸引された塵埃を含む気流を、前記可撓ホースを通過させて前記接続部から前記渦流発生手段に流入させ、前記気流中の塵埃を分離して前記集塵容器に溜めることができる。この際、前記可撓ホースの一端が接続される接続部が、前記渦流発生手段の上部において前記掃除機本体の左右方向略中央となる位置に形成されていることで、掃除機全体を動かさなくても、前記可撓ホースを掃除機本体の左右両方向に対して均等に伸ばして、広い範囲を前記可撓ホースの他端に接続されたアタッチメントによって清掃することができる。
【０００９】
また、本発明の請求項２に記載のサイクロン式掃除機は、以上のように構成することにより、前記接続管を回動させることで、前記可撓ホースをあらゆる方向に均等に伸ばすことができるので、より良好に清掃をすることができる。
【００１０】
更に、本発明の請求項３に記載のサイクロン式掃除機は、以上のように構成することにより、床等を清掃する場合、前記可撓ホースの他端を前記吸込口体又は掃除機本体に接続して前記電動送風機を作動させることで、前記吸込口体から吸引された塵埃を含む気流を直接、或いは一旦前記掃除機本体を経由させた後で、前記可撓ホースを通過させて前記渦流発生手段に流入させ、この渦流発生手段によって、前記気流を前記集塵容器の内壁に沿って旋回する渦流とし、この際、渦流の遠心力によって気流中の塵埃を分離して前記集塵容器に溜めることができる。また、隙間や高所等を清掃する場合、前記可撓ホースの他端を前記吸込口体又は掃除機本体から取り外して、前記可撓ホースの他端にアタッチメントを取り付け、前記電動送風機を作動させることで、前記アタッチメントから吸引された塵埃を含む気流を、前記可撓ホースを通過させて前記渦流発生手段に流入させ、前記気流中の塵埃を分離して前記集塵容器に溜めることができる。この際、前記可撓ホースの一端が接続される前記渦流発生手段を、前記集塵容器に対して略同軸的に回動させることで、掃除機全体を動かさなくても広い範囲を前記可撓ホースの他端に接続されたアタッチメントによって清掃することができ、これによって、手軽に清掃をすることができるようになる。
【発明を実施するための最良の形態】
【００１１】
以下、本発明の第一の実施形態について、図１乃至図６に基づいて説明する。１はスティック型のサイクロン式掃除機である。このサイクロン式掃除機１は、掃除機本体２と、この掃除機本体２の後上部に対して着脱自在に取り付けられる集塵装置３と、前記掃除機本体２の下部に対して着脱自在に取り付けられる吸込口体４と、前記掃除機本体２の上部に一体的に設けられた把持部５とを有して構成されている。なお、この把持部５は、本例では前記掃除機本体２と一体的に設けたが、前記掃除機本体２とは別体に設けてもよい。
【００１２】
前記掃除機本体２を構成する外殻体６の後下部には、接続経路７が設けられている。この接続経路７の下端部には、前記吸込口体４の後述する接続管２３が着脱自在に接続される。また、前記接続経路７の後上方の端部には接続口８が形成されており、この接続口８に対して後述する可撓ホース２０の他端に設けられた接続管２１が着脱自在に接続されるように構成されている。また、前記掃除機本体２を構成する前記外殻体６の後上部には、前記集塵装置３を着脱自在に取り付けるための取付部９が凹状に設けられている。なお、前記集塵装置３が前記取付部９に取り付けられた状態において、前記集塵装置３は、その中心が前記掃除機本体２の中心と前後にほぼ重なるように構成されている。そして、この取付部９の前壁９Ａには、前記集塵装置３の後述する排気経路１９の排気口１９Ａが接続される接続口１０が形成されている。そして、この接続口１０から前記掃除機本体２内に気流経路１１が形成されていると共に、この気流経路１１が電動送風機１２の吸気口に接続されている。更に、前記掃除機本体２の外殻体６の後下部には、前記電動送風機１２を通過した気流を前記掃除機本体２外に排出するための排気口１３が形成されている。
【００１３】
前記集塵装置３は、有底の略円筒状に形成された集塵容器１４と、この集塵容器１４の上部開口を閉塞するように着脱自在に取り付けられた渦流発生手段１５とで構成されている。そして、前記集塵装置３は、前記掃除機本体２の外殻体６の取付部９に取り付けられた状態において、前記渦流発生手段１５の上面が露出するように構成されている。前記渦流発生手段１５は、上向きに形成された接続部１６と、この接続部１６に連通すると共に前記集塵容器１４の内壁１４Ａに沿って螺旋状に気流を導く導流部１７と、前記渦流発生手段１５及び集塵容器１４の略中央に位置して前記集塵容器１４内から排出される気流から塵埃を濾過するためのフィルター手段１８と、前記集塵容器１４内から気流を排出するための排気経路１９とを有して構成されている。なお、前記接続部１６は、前記集塵装置３の左右方向略中央に位置するように、前記渦流発生手段１５の後方寄りに設けられている。そして、前述したように、前記集塵装置３が前記取付部９に取り付けられた状態において、前記集塵装置３の中心が前記掃除機本体２の中心と前後にほぼ重なるように構成されていることから、前記接続部１６は、前記掃除機本体２、ひいては前記サイクロン式掃除機１の左右方向略中央に位置することになる。また、前記接続部１６には、可撓ホース２０の一端２０Ａが接続されている。そして、前述したように、前記接続部１６が前記サイクロン式掃除機１の左右方向略中央に位置することで、この接続部１６に接続される可撓ホース２０の一端２０Ａも、前記サイクロン式掃除機１の左右方向略中央に位置することになる。なお、前記可撓ホース２０は、その名の通り可撓性を有するので、図５に破線で示すように、あらゆる方向に屈曲させることができる。一方、前記可撓ホース２０の他端２０Ｂに設けられた接続管２１は、前述したように、前記接続経路７の後上方の端部に形成された接続口８に対して着脱自在に接続される。そして、前記接続管２１は、前記接続口８から取り外された状態で、図示しないブラシノズルや隙間ノズル等のアタッチメントが着脱自在に取り付けられるように構成されている。また、前述したように、前記排気経路１９の排気口１９Ａは、前記接続口１０に接続される。
【００１４】
また、前記吸込口体４は、吸込口本体２２と、この吸込口本体２２に対して揺動可能に取り付けられた接続管２３と、車輪２４とを有して構成されている。なお、前述したように、前記接続管２３は、前記接続経路７の下端部に対して着脱自在に接続される。また、前記把持部５の正面側上部には、前記電動送風機１２を作動させるためのスイッチ操作部２５が設けられている。
【００１５】
次に、本実施形態の作用について説明する。まず、床等を清掃する場合、使用者は、前記掃除機本体２の接続経路７の下端部に前記吸込口本体２２の接続管２３を接続することで、前記掃除機本体２に前記吸込口本体２２を接続させる。そして、前記集塵容器１４の上部開口に前記渦流発生手段１５を接続させることで、前記集塵装置３を組み立て、この集塵装置３を前記掃除機本体２の取付部９に取り付けると共に、前記可撓ホース２０の他端２０Ｂに設けられた接続管２１を前記接続経路７の接続口８に接続する。そして、このように前記吸込口体４と集塵装置３と可撓ホース２０を前記掃除機本体２に取り付けることで、前記吸込口体４、接続経路７及び可撓ホース２０を経て前記渦流発生手段１５に至り、この渦流発生手段１５から前記集塵容器１４内に流入し、再び前記渦流発生手段１５から前記気流経路１１を経て前記電動送風機１２に至り、前記排気口１３から前記掃除機本体２の外部に排出される気流の経路が形成される。そして、このように前記吸込口体４と集塵装置３と可撓ホース２０が前記掃除機本体２に取り付けられた状態で、前記把持部５を把持し、前記スイッチ操作部２５を操作することで、前記電動送風機１２が作動し、床面等の塵埃が気流と共に前記吸込口体４から吸引される。そして、使用者が前記把持部５を把持して前記サイクロン式掃除機１を動かすことで、広い範囲の塵埃が気流と共に吸引される。
【００１６】
前記吸込口体４から吸引された塵埃を含んだ気流は、前記吸込口本体２２から前記接続管２３を経て前記掃除機本体２の接続経路７に至り、この接続経路７の接続口８及び前記接続管２１を経て前記可撓ホース２０に至り、更に、この可撓ホース２０から前記接続部１６を経て前記渦流発生手段１５に流入する。そして、この渦流発生手段１５に流入した塵埃を含んだ気流は、前記集塵装置３内で、前記導流部１７によって、前記集塵容器１４の内壁１４Ａに沿って旋回する螺旋状の渦流Ｖとなる。そして、この渦流Ｖに含まれる比較的粗い塵埃は、遠心力によって前記渦流Ｖから分離される。また、前記渦流Ｖから分離されずに残った少量の比較的細かい塵埃は、前記渦流Ｖが前記フィルター手段１８を経て前記排気経路１９から流出する際に、前記フィルター手段１８によって濾過される。これによって、気流中の塵埃が前記集塵容器１４内に溜められる。そして、前記排気経路１９から流出した塵埃が除かれた気流は、前記排気口１９Ａから前記気流経路１１に至り、この気流経路１１を通って前記電動送風機１２に吸引される。そして、この電動送風機１２に吸引された気流は、この電動送風機１２から前記排気口１３を経て前記掃除機本体２の外部に排出される。このようにして、床面等が清掃される。
【００１７】
一方、高所或いは隙間等を清掃する場合、使用者は、床面等が清掃可能な状態から、前記可撓ホース２０の他端２０Ｂに設けられた接続管２１を前記接続経路７の接続口８から取り外すと共に、前記接続管２１に図示しないブラシノズルや隙間ノズル等のアタッチメントを接続する。そして、このように前記アタッチメントを前記可撓ホース２０の接続管２１に取り付けることで、前記アタッチメントから前記可撓ホース２０を経て前記渦流発生手段１５に至る気流の経路が形成される。そして、この状態で前記スイッチ操作部２５を操作することで、前記電動送風機１２が作動し、高所或いは隙間等の塵埃が気流と共に前記アタッチメントから吸引される。なお、前記集塵装置３以降については、床面を清掃する場合と同様であるので、説明を省略する。そして、前記アタッチメントを用いて清掃する場合、前記掃除機本体２の右側或いは左側に前記可撓ホース２０を伸ばす場合があり得るが、前述したように、前記可撓ホース２０の一端２０Ａが前記サイクロン式掃除機１の左右方向略中央に位置するので、前記可撓ホース２０の一端２０Ａ側を屈曲させることで、使用者は前記可撓ホース２０の接続管２１に取り付けられた前記アタッチメントを、前記サイクロン式掃除機１の左右何れの方向に対しても均等に伸ばすことができる。これによって、前記アタッチメントを用いた清掃を行う際に、サイクロン式掃除機１全体を動かす機会が減ることになり、前記アタッチメントを用いた清掃を手軽に行うことができるようになる。
【００１８】
以上のように本発明は、吸込口体４が着脱自在に取り付けられると共に電動送風機１２が内蔵された掃除機本体２の後上部に、集塵容器１４と、この集塵容器１４内に渦流を形成する渦流発生手段１５を取り付け、この渦流発生手段１５の露出した上部における前記掃除機本体２の左右方向略中央となる位置に接続部１６を設け、この接続部１６に可撓ホース２０の一端２０Ａを接続し、前記可撓ホース２０の他端２０Ｂを前記掃除機本体２に対して着脱自在とすることで、高所や隙間等を清掃する場合、サイクロン式掃除機１全体を動かさなくても、前記可撓ホース２０の一端２０Ａ側を屈曲させることで、アタッチメントが取り付けられる前記可撓ホース２０の他端２０Ｂを前記掃除機本体２の左右両方向に対して均等に伸ばして、広い範囲を前記可撓ホース２０の他端２０Ｂに接続されたアタッチメントによって清掃することができる。
【００１９】
次に、本発明の第二の実施形態について、図７乃至図１０に基づいて説明する。なお、上記実施形態と共通する部分については、同一の符号を付し、その説明を省略する。３０はスティック型のサイクロン式掃除機である。このサイクロン式掃除機３０は、掃除機本体２と、この掃除機本体２の後上部に対して着脱自在に取り付けられる集塵装置３１と、前記掃除機本体２の下部に対して着脱自在に取り付けられる吸込口体４と、前記掃除機本体２の上部に一体的に設けられた把持部５とを有して構成されている。なお、前記掃除機本体２を構成する前記外殻体６の後上部には、前記集塵装置３１を着脱自在に取り付けるための取付部９が凹状に設けられている。また、前記集塵装置３１が前記取付部９に取り付けられた状態において、前記集塵装置３１は、その中心が前記掃除機本体２の中心と前後にほぼ重なるように構成されている。そして、前記取付部９の前壁９Ａには、前記集塵装置３１の後述する排気経路３７の排気口３７Ａが接続される接続口１０が形成されている。
【００２０】
前記集塵装置３１は、有底の略円筒状に形成された集塵容器１４と、この集塵容器１４の上部開口を閉塞するように着脱自在に取り付けられた渦流発生手段３２とで構成されている。そして、前記集塵装置３１は、前記掃除機本体２の外殻体６の取付部９に取り付けられた状態において、前記渦流発生手段３２の上面が露出するように構成されている。前記渦流発生手段３２は、上向きに形成された接続部３３と、この接続部３３の上流側の軸線回りに一端が回動可能に接続された接続管３４と、前記接続部３３の下流側に連通すると共に前記集塵容器１４の内壁１４Ａに沿って螺旋状に気流を導く導流部３５と、前記渦流発生手段３２及び集塵容器１４の略中央に位置して前記集塵容器１４内から排出される気流から塵埃を濾過するためのフィルター手段３６と、前記集塵容器１４内から気流を排出するための排気経路３７とを有して構成されている。なお、前記接続部３３は、前記集塵装置３１の左右方向略中央に位置するように、前記渦流発生手段３２の後方寄りに設けられている。そして、前述したように、前記集塵装置３１が前記取付部９に取り付けられた状態において、前記集塵装置３１の中心が前記掃除機本体２の中心と前後にほぼ重なるように構成されていることから、前記接続部３３は、前記掃除機本体２、ひいては前記サイクロン式掃除機３０の左右方向略中央に位置することになる。また、前記接続管３４は略逆Ｌ字状に形成されており、縦方向に延びた一端が前述したように前記接続部３３に対して軸線回りに回動可能に接続されていると共に、横方向に延びた他端に可撓ホース２０の一端２０Ａが接続されている。そして、前述したように、前記接続部３３が前記サイクロン式掃除機３０の左右方向略中央に位置することで、この接続部３３に接続される前記接続管３４の一端も、前記サイクロン式掃除機３０の左右方向略中央に位置することになる。また、前述したように、前記排気経路３７の排気口３７Ａは、前記接続口１０に接続される。
【００２１】
次に、本実施形態の作用について説明する。なお、床等を清掃する場合については、上記第一の実施形態とほぼ共通するので、その説明を省略する。高所或いは隙間等を清掃する場合、使用者は、床面等が清掃可能な状態から、前記可撓ホース２０の他端２０Ｂに設けられた接続管２１を前記接続経路７の接続口８から取り外すと共に、前記接続管２１に図示しないブラシノズルや隙間ノズル等のアタッチメントを接続する。そして、このように前記アタッチメントを前記可撓ホース２０の接続管２１に取り付けることで、前記アタッチメントから前記可撓ホース２０を経て前記渦流発生手段３２に至る気流の経路が形成される。そして、この状態でスイッチ操作部２５を操作することで、前記電動送風機１２が作動し、高所或いは隙間等の塵埃が気流と共に前記アタッチメントから吸引される。そして、前記アタッチメントを用いて清掃する場合、前記掃除機本体２の右側或いは左側に前記可撓ホース２０を伸ばす場合があり得るが、前述したように、前記可撓ホース２０の一端２０Ａが前記サイクロン式掃除機３０の左右方向略中央に位置する前記接続管３４の横向きの他端に接続されているので、前記接続管３４を前記接続部３３の軸線回りに回動させることで、使用者は前記可撓ホース２０の接続管２１に取り付けられた前記アタッチメントを、前記サイクロン式掃除機３０の左右何れの方向に対しても均等に伸ばすことができる。これによって、前記アタッチメントを用いた清掃を行う際に、前記サイクロン式掃除機３０全体を動かす機会が減ることになり、前記アタッチメントを用いた清掃を手軽に行うことができるようになる。また、前記接続管３４の他端が横向きに形成されていることから、前記可撓ホース２０の一端２０Ａも横向きに接続されることになり、これによって、前記アタッチメントを前記サイクロン式掃除機３０の横方向に伸ばしやすくなるので、前記アタッチメントを用いた清掃をより手軽に行うことができるようになる。
【００２２】
以上のように本発明は、吸込口体４が着脱自在に取り付けられると共に電動送風機１２が内蔵された掃除機本体２の後上部に、集塵容器１４と、この集塵容器１４内に渦流を形成する渦流発生手段３２を取り付け、この渦流発生手段３２の露出した上部における前記掃除機本体２の左右方向略中央となる位置に接続部３３を設け、この接続部３３に略逆Ｌ字状に屈曲した接続管３４の一端を回動自在に接続し、この接続管３４の他端に可撓ホース２０の一端２０Ａを接続し、前記可撓ホース２０の他端２０Ｂを前記掃除機本体２に対して着脱自在とすることで、高所や隙間等を清掃する場合、サイクロン式掃除機３０全体を動かさなくても、前記接続管３４を回動させることで、前記アタッチメントが取り付けられる前記可撓ホース２０の他端２０Ｂの接続管２１を前記掃除機本体２の左右両方向に対して均等に伸ばして、広い範囲を前記可撓ホース２０の他端に接続されたアタッチメントによって清掃することができる。
【００２３】
次に、本発明の第三の実施形態について、図１１乃至図１４に基づいて説明する。なお、上記各実施形態と共通する部分については、同一の符号を付し、その説明を省略する。４０はスティック型のサイクロン式掃除機である。このサイクロン式掃除機４０は、掃除機本体２と、この掃除機本体２の後上部に対して着脱自在に取り付けられる集塵装置４１と、前記掃除機本体２の下部に対して着脱自在に取り付けられる吸込口体４と、前記掃除機本体２の上部に一体的に設けられた把持部５とを有して構成されている。なお、前記掃除機本体２を構成する前記外殻体６の後上部には、前記集塵装置４１を着脱自在に取り付けるための取付部９が凹状に設けられている。また、前記集塵装置４１が前記取付部９に取り付けられた状態において、前記集塵装置４１は、その中心が前記掃除機本体２の中心と前後にほぼ重なるように構成されている。そして、前記取付部９の前壁９Ａには、前記集塵装置４１の後述する排気経路４７の排気口４７Ａが接続される接続口１０が形成されている。
【００２４】
前記集塵装置４１は、有底の略円筒状に形成されると共に、段部４２Ａよりも下方が径小部４２Ｂ、上方が径大部４２Ｃである集塵容器４２と、前記径大部４２Ｃのほぼ半周にわたって周方向に形成された貫通溝４３と、前記径大部４２Ｃ内で回動可能となるように、前記段部４２Ａに載置されて設けられた渦流発生手段４４と、前記集塵容器４２の上部開口を閉塞する蓋体４５と、この蓋体４５の略中央に着脱自在に設けられたフィルター手段４６と、このフィルター手段４６と連通すると共に前記集塵容器４２内から気流を排出するための排気経路４７とを有して構成されている。そして、前記集塵装置４１は、前記掃除機本体２の外殻体６の取付部９に取り付けられた状態において、前記貫通溝４３が左右略対称に露出するように構成されている。なお、前記集塵容器４２には、この集塵容器４２の上部開口と前記貫通溝４３とを連通させる切欠部４８が形成されていると共に、前記蓋体４５には、前記切欠部４８を塞ぐ閉塞部４９が形成されている。
【００２５】
前記渦流発生手段４４は、前記集塵容器４２内に収容されて前記段部４２Ａに載置される筒状部５０と、この筒状部５０から突出して設けられると共に前記貫通溝４３から突出する接続管５１とを有して構成されている。前記筒状部５０は、外筒部５２と、この外筒部５２と同軸に設けられた内筒部５３と、これら外筒部５２と内筒部５３の間に設けられて前記集塵容器４２の内壁４２Ｄに沿って螺旋状に気流を導く導流部５４とを有して構成されている。そして、前記筒状部５０は、前記外筒部５２の外面が前記径大部４２Ｃの内面に摺接して同軸的に回動するように構成されている。また、前記内筒部５３の内側には前記フィルター手段４６が配される。そして、前記接続管５１の基端部は前記環状部５０と連通していると共に、前記接続管５１の先端部には、前記可撓ホース２０の一端２０Ａが接続されている。また、前記接続管５１の基端部の太さは、前記貫通溝４３及び切欠部４８の幅よりも細く形成されている。即ち、前記接続管５１が前記切欠部４８を通るようにして前記筒状部５０を前記集塵容器４２の上方から挿入することで、前記渦流発生手段４４が前記集塵容器４２に装着されると共に、前記筒状部５０を回動させることで、前記接続管５１が前記貫通溝４３に沿って周方向に動くことになる。なお、前記渦流発生手段４４を取り外す場合も、逆の手順で行うことができる。
【００２６】
前記フィルター手段４６は略円筒状に形成されており、上流側となる下方には、前記集塵容器４２内から排出される気流から粗い塵埃を濾過するための粗目のフィルタ５５が設けられていると共に、下流側となる上方には、前記フィルタ５５を通過した細かい塵埃を濾過するための細目のフィルタ５６が着脱自在に設けられている。また、前記フィルター手段４６は、前記蓋体４５と一体に形成された排気経路４７の入口４７Ｂに対して着脱自在に取り付けられている。更に、前述したように、前記排気経路４７の排気口４７Ａは、前記接続口１０に接続される。
【００２７】
次に、本実施形態の作用について説明する。なお、床等を清掃する場合については、上記各実施形態とほぼ共通するので、その説明を省略する。高所或いは隙間等を清掃する場合、使用者は、床面等が清掃可能な状態から、前記可撓ホース２０の他端２０Ｂに設けられた接続管２１を前記接続経路７の接続口８から取り外すと共に、前記接続管２１に図示しないブラシノズルや隙間ノズル等のアタッチメントを接続する。そして、このように前記アタッチメントを前記可撓ホース２０の接続管２１に取り付けることで、前記アタッチメントから前記可撓ホース２０を経て前記渦流発生手段４４に至る気流の経路が形成される。そして、この状態でスイッチ操作部２５を操作することで、前記電動送風機１２が作動し、高所或いは隙間等の塵埃が気流と共に前記アタッチメントから吸引される。そして、前記アタッチメントを用いて清掃する場合、前記掃除機本体２の右側或いは左側に前記可撓ホース２０を伸ばす場合があり得るが、前述したように、前記可撓ホース２０の一端２０Ａが前記渦流発生手段４４を構成する前記接続管５１の先端部に接続されており、前記渦流発生手段４４の筒状部５０を前記集塵容器４２に対して同軸的に回動させた際に、左右略対称に形成された前記貫通溝４３に沿って前記接続管５１が周方向に動くことになるので、前記筒状部５０を前記集塵容器４２に対して同軸的に回動させることで、使用者は前記可撓ホース２０の接続管２１に取り付けられた前記アタッチメントを、前記サイクロン式掃除機４０の左右何れの方向に対しても均等に伸ばすことができる。これによって、前記アタッチメントを用いた清掃を行う際に、前記サイクロン式掃除機４０全体を動かす機会が減ることになり、前記アタッチメントを用いた清掃を手軽に行うことができるようになる。また、前記接続管５１が横向きに形成されていることから、前記可撓ホース２０の一端２０Ａも横向きに接続されることになり、これによって、前記アタッチメントを前記サイクロン式掃除機４０の横方向に伸ばしやすくなるので、前記アタッチメントを用いた清掃をより手軽に行うことができるようになる。
【００２８】
以上のように本発明は、吸込口体４が着脱自在に取り付けられると共に電動送風機１２が内蔵された掃除機本体２の後上部に、集塵容器４２と、この集塵容器４２内に渦流を形成する渦流発生手段４４を取り付け、この渦流発生手段４４の接続管５１の先端部に可撓ホース２０の一端２０Ａを接続し、前記可撓ホース２０の他端２０Ｂを前記掃除機本体２に対して着脱自在とすると共に、前記渦流発生手段４４を前記集塵容器４２に対して略同軸的に回動自在に取り付けることで、高所や隙間等を清掃する場合、サイクロン式掃除機４０全体を動かさなくても、前記渦流発生手段４４を回動させることで、前記アタッチメントが取り付けられる前記可撓ホース２０の他端２０Ｂの接続管２１を前記掃除機本体２の左右両方向に対して均等に伸ばして、広い範囲を前記可撓ホース２０の他端に接続されたアタッチメントによって清掃することができる。
【００２９】
なお、本発明は以上の実施形態に限定されるものではなく、発明の要旨の範囲内で種々の変形実施が可能である。例えば、上記各実施形態では、可撓ホースの他端が掃除機本体に対して着脱自在に接続されているが、前記可撓ホースの他端を吸込口体に対して着脱自在に接続してもよい。
【図面の簡単な説明】
【００３０】
【図１】本発明の第一の実施形態を示すサイクロン式掃除機の正面図である。
【図２】同上、背面図である。
【図３】同上、側面図である。
【図４】同上、掃除機本体の断面図である。
【図５】同上、集塵装置の平面図である。
【図６】同上、集塵装置の平断面図である。
【図７】本発明の第二の実施形態を示すサイクロン式掃除機の断面図である。
【図８】同上、集塵装置の平面図である。
【図９】同上、接続管を揺動させた状態における集塵装置の平面図である。
【図１０】同上、集塵装置の平断面図である。
【図１１】本発明の第三の実施形態を示すサイクロン式掃除機の断面図である。
【図１２】同上、集塵装置の縦断面図である。
【図１３】同上、集塵装置の平断面図である。
【図１４】同上、渦流発生手段を回動させた状態における集塵装置の平断面図である。
【符号の説明】
【００３１】
１，３０，４０  サイクロン式掃除機
２  掃除機本体
４  吸込口体
１２  電動送風機
１４，４２  集塵容器
１４Ａ，４２Ｄ  内壁
１５，３２，４４  渦流発生手段
１６，３３  接続部
２０  可撓ホース
２０Ａ  一端
２０Ｂ  他端
３４  接続管
Ｖ  渦流
【図１】
2006346118.tif 000003
【図２】
2006346118.tif 000004
【図３】
2006346118.tif 000005
【図４】
2006346118.tif 000006
【図５】
2006346118.tif 000007
【図６】
2006346118.tif 000008
【図７】
2006346118.tif 000009
【図８】
2006346118.tif 000010
【図９】
2006346118.tif 000011
【図１０】
2006346118.tif 000012
【図１１】
2006346118.tif 000013
【図１２】
2006346118.tif 000014
【図１３】
2006346118.tif 000015
【図１４】
2006346118.tif 000016